(57)【特許請求の範囲】
【請求項１】
ピンの先端にフランジを有する一対のフックを備えた壁掛けマウンタと、フックのフランジが貫通する挿入孔とピンが挿通する長孔とを有するダルマ孔を機器筐体の底板に形成した電子機器との組合せから成る電子機器の壁掛け構造であって、
フックの相対距離が相違する２種類の壁掛けマウンタに対応させるべく、前記機器筐体の底板に形成され、前記２種類の壁掛けマウンタが共通に使用する１つの共用ダルマ孔と、
前記２種類の壁掛けマウンタに対応させるべく、前記機器筐体の底板に形成され、一方の壁掛けマウンタのフックが係止される第１ダルマ孔と、
前記２種類の壁掛けマウンタに対応させるべく、前記機器筐体の底板に形成され、前記第１ダルマ孔と互いに隣接しかつ該第１ダルマ孔の長孔を挿入孔に連通させ、他方の壁掛けマウンタのフックが係止される第２ダルマ孔と、
前記機器筐体の底板に、前記第１ダルマ孔の長孔を挟んで対向して突設され、前記第１ダルマ孔の長孔における前記第２ダルマ孔の挿入孔に連通している側を挟んだ部位を、互いに近接する態様で湾曲させて形成した側方リブと、
を具備して成ることを特徴とする電子機器の壁掛け構造。
【発明の詳細な説明】
【０００１】
【発明の属する技術分野】
本発明は、機器筐体の底板に形成したダルマ孔に、壁面に固設した壁掛けマウンタのフックを係合させることで、電子機器を壁面に設置するよう構成した電子機器の壁掛け構造に関し、詳しくはフックの相対距離が相違する２種類の壁掛けマウンタに対応させるべく、機器筐体の底板に１個の共用のダルマ孔と隣接する２個のダルマ孔とを設けて成る電子機器の壁掛け構造に関するものである。
【０００２】
【従来の技術】
図８に示す如く、電子機器の１態様であるビジネス電話機の壁掛け構造は、ケーシング（機器筐体）Ｔａに複数のダルマ孔Ｄ０、Ｄ１、Ｄ２を設けた電話機（電子機器）Ｔと、前記ダルマ孔Ｄ０等に係合する一対のフックＭｈ、Ｍｈを有する壁掛けマウンタＭとの組合せによって構成されている。
【０００３】
ここで、前記壁掛けマウンタＭには、従来から図９に示す如き壁掛けマウンタＭ(１)と、図１０に示す如き壁掛けマウンタＭ(２)との２種類が慣用的に存在しており、設置場所等の諸条件に基づいて適宜に選択して使用される。
【０００４】
これら壁掛けマウンタＭ(１)および壁掛けマウンタＭ(２)は、共に平板状のベースＭｂと一対のフックＭｈ、Ｍｈとを備え、各々のフックＭｈはベースＭｂに突設されたピンＭｐと該ピンＭｐの先端部に形成された円盤状のフランジＭｆとから成っている。
【０００５】
反面、壁掛けマウンタＭ(１)におけるフックＭｈ、Ｍｈのピッチ(相対距離)Ｐ１と、壁掛けマウンタＭ(２)におけるフックＭｈ、Ｍｈのピッチ(相対距離)Ｐ２とは互いに相違しており、壁掛けマウンタＭ(１)のピッチＰ１は、壁掛けマウンタＭ(２)のピッチＰ２よりも僅かに長く設定されている。
【０００６】
一方、図１１および図１２に示す如く、電話機ＴにおけるケーシングＴａの底板Ｔｂには、共用ダルマ孔Ｄ０と第１ダルマ孔Ｄ１および第２ダルマ孔Ｄ２とが、電話機Ｔを壁面Ｗ(図８参照)に取付けた状態において上下に延びる直線上に設けられている。
【０００７】
前記共用ダルマ孔Ｄ０は、壁掛けマウンタＭ(１)または壁掛けマウンタＭ(２)における一方のフックＭｈが係合する部位であって、図１１に示す如く、フックＭｈのフランジＭｆが貫通する挿入孔Ｄ０ａと、フックＭｈのピンＭｐが挿通する長孔Ｄ０ｂとを有し、この長孔Ｄ０ｂは挿入孔Ｄ０ａと連通して上方へ延びている。
【０００８】
前記第１ダルマ孔Ｄ１は、壁掛けマウンタＭ(１)における他方のフックＭｈと係合する部位であって、図１３および図１４に示す如く、フックＭｈのフランジＭｆが貫通する挿入孔Ｄ１ａと、フックＭｈのピンＭｐが挿通する長孔Ｄ１ｂとを有し、この長孔Ｄ１ｂは挿入孔Ｄ１ａと連通して上方へ延びている。
【０００９】
前記第２ダルマ孔Ｄ２は、壁掛けマウンタＭ(２)における他方のフックＭｈと係合する部位であって、図１３および図１４に示す如く、フックＭｈのフランジＭｆが貫通する挿入孔Ｄ２ａと、フックＭｈのピンＭｐが挿通する長孔Ｄ２ｂとを有し、この長孔Ｄ２ｂは挿入孔Ｄ２ａと連通して上方へ延びている。
【００１０】
ここで、図１０に示す共用ダルマ孔Ｄ０と第１ダルマ孔Ｄ１との間隔Ｔ１は、壁掛けマウンタＭ(１)におけるフックＭｈ、ＭｈのピッチＰ１と等しく設定されており、また共用ダルマ孔Ｄ０と第２ダルマ孔Ｄ２との間隔Ｔ２は、壁掛けマウンタＭ(２)におけるフックＭｈ、ＭｈのピッチＰ２と等しく設定されている。
【００１１】
また、壁掛けマウンタＭ(１)のピッチＰ１と、壁掛けマウンタＭ(２)のピッチＰ２とは、上述したように極く僅かに相違しているだけなので、第１ダルマ孔Ｄ１と第２ダルマ孔Ｄ２とは互いに近接して配置されており、図１３および図１４に示す如く、第１ダルマ孔Ｄ１の長孔Ｄ１ｂは第２ダルマ孔Ｄ２の挿入孔Ｄ２ａと連通する態様で形成されている。
【００１２】
図１３〜図１６に示す如く、ケーシングＴａにおける底板Ｔｂの裏面(内面)側には、第１ダルマ孔Ｄ１および第２ダルマ孔Ｄ２を挟んで相対向するとともに、第１ダルマ孔Ｄ１と第２ダルマ孔Ｄ２との並設方向に沿って延びる態様で、一対の側方リブＲ、Ｒが突出形成されている。
【００１３】
ここで、第１ダルマ孔Ｄ１の長孔Ｄ１ｂに臨む左右の係止縁部Ｔｅ、Ｔｅは、前記長孔Ｄ１ｂが第１ダルマ孔Ｄ１の挿入孔Ｄ１ａと第２ダルマ孔Ｄ２の挿入孔Ｄ２ａとに連通していることから、図１６に示す如く、それぞれ側方リブＲを支点とした片持ち梁の状態となっている。
【００１４】
なお、一対の側方リブＲ、Ｒには、ケーシングＴａの内部に異物が侵入することを防止する等の目的で、第１ダルマ孔Ｄ１および第２ダルマ孔Ｄ２に倣った形状のカバー板Ｔｃが、第１ダルマ孔Ｄ１および第２ダルマ孔Ｄ２を底板Ｔｂの内側から覆う態様で一体形成されている。
【００１５】
上述した従来の壁掛け構造において、図８に示す如く壁掛けマウンタＭ(１)を用いて電話機Ｔを壁面Ｗに設置する場合には、先ず、電話機ＴのケーシングＴａにおける共用ダルマ孔Ｄ０の挿入孔Ｄ０ａと、第１ダルマ孔Ｄ１の挿入孔Ｄ１ａとに、壁面Ｗに固定設置した壁掛けマウンタＭ(１)における各フックＭｈのフランジＭｆを各々嵌入する。
【００１６】
次いで、電話機Ｔを下方へ押し下げ、共用ダルマ孔Ｄ０の長孔Ｄ０ｂ、および第１ダルマ孔Ｄ１の長孔Ｄ１ｂに、壁掛けマウンタＭ(１)における各フックＭｈのピンＭｐを各々挿通させる。
【００１７】
これにより、一方(上方)のフックＭｈにおけるフランジＭｆが、共用ダルマ孔Ｄ０の長孔Ｄ０ｂに臨む左右の係止縁部に係止されるとともに、他方(下方)のフックＭｈにおけるフランジＭｆが、図１５および図１６に示す如く第１ダルマ孔Ｄ１の長孔Ｄ１ｂに臨む左右の係止縁部Ｔｅ、Ｔｅに係止され、もって電話機Ｔが壁掛けマウンタＭ(１)を介して壁面Ｗに取付けられることとなる。
【００１８】
【発明が解決しようとする課題】
ところで、壁掛けマウンタＭ(１)を用いて電話機Ｔを壁面Ｗに取り付けた状態において、壁面Ｗから引き離す方向へ引っ張られる等して電話機Ｔに大きな外力が作用した場合、壁掛けマウンタＭ(１)のフランジＭｆと係合している、ケーシングＴａにおける底板Ｔｂの係止縁部Ｔｅが、過大な荷重を受けて破損してしまう問題があった。
【００１９】
このような問題を解決するには、底板Ｔｂにおける係止縁部Ｔｅの肉厚を厚く形成して、該係止縁部Ｔｅの剛性を増大させる手法が考えられるものの、前記係止縁部Ｔｅの肉厚を徒らに厚く形成した場合には、市販されている既存の壁掛けマウンタＭ(１)、Ｍ(２)を使用できなくなってしまう不都合があった。
【００２０】
本発明は上記実状に鑑みて、市販の壁掛けマウンタの使用を阻害することなく機器筐体の損傷を未然に防止することの可能な、電子機器の壁掛け構造の提供を目的とするものである。
【００２１】
【課題を解決するための手段】
本発明に関わる電子機器の壁掛け構造は、ピンの先端にフランジを有する一対のフックを備えた壁掛けマウンタと、フックのフランジが貫通する挿入孔とピンが挿通する長孔とを有するダルマ孔を機器筐体の底板に形成した電子機器との組合せから成る電子機器の壁掛け構造であって、フックの相対距離が相違する２種類の壁掛けマウンタに対応させるべく、機器筐体の底板に形成され、２種類の壁掛けマウンタが共通に使用する１つの共用ダルマ孔と、２種類の壁掛けマウンタに対応させるべく、機器筐体の底板に形成され、一方の壁掛けマウンタのフックが係止される第１ダルマ孔と、２種類の壁掛けマウンタに対応させるべく、機器筐体の底板に形成され、第１ダルマ孔と互いに隣接しかつ該第１ダルマ孔の長孔を挿入孔に連通させ、他方の壁掛けマウンタのフックが係止される第２ダルマ孔と、機器筐体の底板に、第１ダルマ孔の長孔を挟んで対向して突設され、第１ダルマ孔の長孔における第２ダルマ孔の挿入孔に連通している側を挟んだ部位を、互いに近接する態様で湾曲させて形成した側方リブとを具備して成ることを特徴としている。
【００２２】
【発明の実施の形態】
以下、本発明の一実施例を、図面を参照しながら詳細に説明する。
図１〜図７は、本発明を電子機器の１態様であるビジネス電話機の壁掛け構造に適用した一実施例を示している。
【００２３】
図１に示す如く、本実施例におけるビジネス電話機の壁掛け構造は、ケーシング（機器筐体）１Ａに共用ダルマ孔１０、第１ダルマ孔１１および第２ダルマ孔１２を設けた電話機（電子機器）１と、前記共用ダルマ孔１０等に係合する一対のフックＭｈを有する壁掛けマウンタＭとの組合せによって構成されている。
【００２４】
ここで、前記壁掛けマウンタＭは、図８〜図１６を示して説明した従来の壁掛け構造における壁掛けマウンタＭと全く同一であり、図９に示す如き壁掛けマウンタＭ(１)と、図１０に示す如き壁掛けマウンタＭ(２)との２種類が用意され、設置場所等の諸条件に基づいて適宜に選択して使用されるものである。
【００２５】
よって、壁掛けマウンタＭ(１)および壁掛けマウンタＭ(２)の具体的な構成に関しては、図９および図１０を参照することで説明を省略するとともに、以下の説明中における壁掛けマウンタＭ(１)および壁掛けマウンタＭ(２)の記述については、図９および図１０を参照しているものとする。
【００２６】
一方、図２に示す如く、電話機１におけるケーシング１Ａの底板１Ｂには、共用ダルマ孔１０と第１ダルマ孔１１および第２ダルマ孔１２とが、電話機１を壁面Ｗ(図１参照)に取付けた状態で上下に延びる直線上に設けられている。
【００２７】
前記共用ダルマ孔１０は、壁掛けマウンタＭ(１)または壁掛けマウンタＭ(２)における一方のフックＭｈが係合する部位であり、フックＭｈのフランジＭｆが貫通する挿入孔１０ａと、フックＭｈのピンＭｐが挿通する長孔１０ｂとを有し、この長孔１０ｂは挿入孔１０ａと連通して上方へ延びている。
【００２８】
前記第１ダルマ孔１１は、壁掛けマウンタＭ(１)における他方のフックＭｈと係合する部位であって、図３および図４に示す如く、フックＭｈのフランジＭｆが貫通する挿入孔１１ａと、フックＭｈのピンＭｐが挿通する長孔１１ｂとを有し、この長孔１１ｂは挿入孔１１ａと連通して上方へ延びている。
【００２９】
前記第２ダルマ孔１２は、壁掛けマウンタＭ(２)における他方のフックＭｈと係合する部位であって、図３および図４に示す如く、フックＭｈのフランジＭｆが貫通する挿入孔１２ａと、フックＭｈのピンＭｐが挿通する長孔１２ｂとを有し、この長孔１２ｂは挿入孔１２ａと連通して上方へ延びている。
【００３０】
ここで、共用ダルマ孔１０と第１ダルマ孔１１との間隔は、壁掛けマウンタＭ(１)におけるフックＭｈ、ＭｈのピッチＰ１と等しく設定されており、また共用ダルマ孔１０と第２ダルマ孔１２との間隔は、壁掛けマウンタＭ(２)におけるフックＭｈ、ＭｈのピッチＰ２と等しく設定されている。
【００３１】
また、壁掛けマウンタＭ(１)のピッチＰ１と、壁掛けマウンタＭ(２)のピッチＰ２とは、極く僅かに相違しているだけなので、第１ダルマ孔１１と第２ダルマ孔１２とは互いに近接して配置されており、図３および図４に示す如く、第１ダルマ孔１１の長孔１１ｂは第２ダルマ孔１２の挿入孔１２ａと連通する態様で形成されている。
【００３２】
因みに、電話機１のケーシング１Ａに形成された共用ダルマ孔１０、第１ダルマ孔１１および第２ダルマ孔１２の、形状、大きさ、相対位置は、図８〜図１６を示して説明した従来の壁掛け構造における電話機Ｔと全く同一であり、電話機１におけるケーシング１Ａの外観は、従来の電話機ＴにおけるケーシングＴａの外観と何ら相違するところはない。
【００３３】
図３〜図６に示す如く、ケーシング１Ａにおける底板１Ｂの裏面(内面)側には、第１ダルマ孔１１および第２ダルマ孔１２を挟んで相対向するとともに、第１ダルマ孔１１と第２ダルマ孔１２との並設方向に沿って延びる態様で、一対の側方リブ１Ｒ、１Ｒが突出形成されている。
【００３４】
ここで、第１ダルマ孔１１の長孔１１ｂに臨む左右の係止縁部１Ｅ、１Ｅは、前記長孔１１ｂが第１ダルマ孔１１の挿入孔１１ａと第２ダルマ孔１２の挿入孔１２ａとに連通していることから、図６に示す如く、それぞれ側方リブ１Ｒを支点とした片持ち梁の状態となっている。
【００３５】
また、図４および図６に示す如く、相対向する一対の側方リブ１Ｒ、１Ｒは、全体として互いに平行に延在しているものの、第１ダルマ孔１１の長孔１１ｂにおける、第２ダルマ孔１２の挿入孔１２ａに連通している側を挟んだ部位が、互いに近接する態様で湾曲形成されている。
【００３６】
具体的には、第１ダルマ孔１１の長孔１１ｂに係合した状態での、フックＭｈにおけるフランジＭｆの外形に倣って、各側方リブ１Ｒ、１Ｒの一部が湾曲形成されており、これによって第１ダルマ孔１１の長孔１１ｂに臨む係止縁部１Ｅ、１Ｅの面積が、第１ダルマ孔１１の挿入孔１１ａから第２ダルマ孔１２の挿入孔１２ａに向かって減少するよう構成されている。
【００３７】
なお、一対の側方リブ１Ｒ、１Ｒには、ケーシング１Ａの内部に異物が侵入することを防止する等の目的で、第１ダルマ孔１１および第２ダルマ孔１２に倣った形状のカバー板１Ｃが、第１ダルマ孔１１および第２ダルマ孔１２を底板１Ｂの内側から覆う態様で一体形成されている。
【００３８】
上述した従来の壁掛け構造において、図１に示す如く壁掛けマウンタＭ(１)を用いて電話機１を壁面Ｗに設置する場合には、先ず、電話機１のケーシング１Ａにおける共用ダルマ孔１０の挿入孔１０ａと、第１ダルマ孔１１の挿入孔１１ａとに、壁面Ｗに固定設置した壁掛けマウンタＭ(１)における各フックＭｈのフランジＭｆを各々嵌入する。
【００３９】
次いで、電話機１を下方へ押し下げ、共用ダルマ孔１０の長孔１０ｂ、および第１ダルマ孔１１の長孔１１ｂに、壁掛けマウンタＭ(１)における各フックＭｈのピンＭｐを各々挿通させる。
【００４０】
これにより、一方(上方)のフックＭｈにおけるフランジＭｆが、共用ダルマ孔１０の長孔１０ｂに臨む左右の係止縁部に係止されるとともに、他方(下方)のフックＭｈにおけるフランジＭｆが、図５および図６に示す如く第１ダルマ孔１１の長孔１１ｂに臨む左右の係止縁部１Ｅ、１Ｅに係止され、もって電話機１が壁掛けマウンタＭ(１)を介して壁面Ｗに取付けられることとなる。
【００４１】
ところで、図７(ａ)に示す本実施例における係止縁部１Ｅの形状と、図７(ａ)に示す従来の壁掛け構造における係止縁部Ｔｅの形状との比較から明らかなように、第１ダルマ孔１１の長孔１１ｂに臨む各係止縁部１Ｅの面積を、第１ダルマ孔１１の長孔１１ｂから第２ダルマ孔１２の挿入孔１２ａに向かって減少させる態様で、各側方リブ１Ｒの一部を湾曲形成した本実施例における各係止縁部１Ｅの面積は、従来の壁掛け構造における各係止縁部Ｔｅの面積よりも少ないものとなっている。
【００４２】
ここで、図７に示す如く鎖線で分割した互いに幅の等しい片持ち梁の集合として考える解法からも、本実施例における面積の少ない係止縁部１Ｅの剛性が、面積の多い従来の係止縁部Ｔｅより高いものとなることは明白であり、同じ荷重を加えて実施した荷重試験によって、本実施例に関わる係止縁部１Ｅにおいては、従来の係止縁部Ｔｅに比べて 1.3 〜 1.5 倍に及ぶ強度を有していることが確かめられている。
【００４３】
このように、第１ダルマ孔１１の長孔１１ｂに臨む係止縁部１Ｅ、１Ｅの面積を、第１ダルマ孔１１の挿入孔１１ａから第２ダルマ孔１２の挿入孔１２ａに向かって減少させる態様で、一対の側方リブ１Ｒにおける一部を湾曲形成したことにより、係止縁部１Ｅ、１Ｅの面積が従来の壁掛け構造よりも減少するため、肉厚を増大させることなく係止縁部１Ｅ、１Ｅの剛性を増大させことができる。
【００４４】
かくして、本実施例に関わる電子機器の壁掛け構造においては、市販の壁掛けマウンタＭ(１)、Ｍ(２)の使用が阻害されることなく、壁面Ｗから引き離す方向へ引っ張られる等して電話機１に大きな外力が作用した場合でも、前記電話機１におけるケーシング１Ａの不本意な損傷を未然に防止することが可能となる。
【００４５】
なお、上述した実施例においては、電話機１のケーシング１Ａにおける側方リブ１Ｒの一部を、壁掛けマウンタＭのフックＭｈにおけるフランジＭｆの外形に倣った湾曲形状としているが、該フランジＭｆの移動領域に干渉することなく、係止縁部１Ｅの面積を従来構造より減少させ得る形状であれば、例えば屈曲した多角形状とする等、様々な形状をも採用し得ることは言うまでもない。
【００４６】
また、上述した実施例においては、ベースに一対のフックを設けて成る壁掛けマウンタを例示したが、フックとしての２本のネジを壁面に所定の間隔で取付けた場合も、実質的な壁掛けマウンタを構成するものであることは勿論である。
【００４７】
また、上述した実施例においては、本発明を卓上／壁掛け対応のビジネス電話機に適用した例を示したが、例えばファクシミリ装置等、壁掛け対応の様々な電子機器に対しても本発明を有効に適用し得ることは言うまでもない。
【００４８】
【発明の効果】
以上、詳述した如く、本発明に関わる電子機器の壁掛け構造は、ピンの先端にフランジを有する一対のフックを備えた壁掛けマウンタと、フックのフランジが貫通する挿入孔とピンが挿通する長孔とを有するダルマ孔を機器筐体の底板に形成した電子機器との組合せから成る電子機器の壁掛け構造であって、フックの相対距離が相違する２種類の壁掛けマウンタに対応させるべく、機器筐体の底板に形成され、２種類の壁掛けマウンタが共通に使用する１つの共用ダルマ孔と、２種類の壁掛けマウンタに対応させるべく、機器筐体の底板に形成され、一方の壁掛けマウンタのフックが係止される第１ダルマ孔と、２種類の壁掛けマウンタに対応させるべく、機器筐体の底板に形成され、第１ダルマ孔と互いに隣接しかつ該第１ダルマ孔の長孔を挿入孔に連通させ、他方の壁掛けマウンタのフックが係止される第２ダルマ孔と、機器筐体の底板に、第１ダルマ孔の長孔を挟んで対向して突設され、第１ダルマ孔の長孔における第２ダルマ孔の挿入孔に連通している側を挟んだ部位を、互いに近接する態様で湾曲させて形成した側方リブとを具備して成ることを特徴とするものである。
【００４９】
上記構成によれば、相対向する側方リブにおける、第１ダルマ孔の長孔において第２ダルマ孔の挿入孔に連通している側を挟んだ部位を、互いに近接する態様で湾曲させて形成したことにより、壁掛けマウンタのフックと係合する、第１ダルマ孔の長孔に臨む係止縁部の面積を減少させたことで、肉厚を増大させることなく係止縁部の剛性が増大することとなる。
【００５０】
かくして、本発明に関わる電子機器の壁掛け構造によれば、市販の壁掛けマウンタの使用を阻害することなく、機器筐体の損傷を未然に防止することが可能となる。
【図面の簡単な説明】
【図１】本発明に関わる壁掛け構造を採用した電話機および壁掛けマウンタを示す要部破断側面図。
【図２】図１に示した電話機の機器筐体を底面側から観た外観斜視図。
【図３】図１に示した電話機における機器筐体の要部断面側面図。
【図４】    (ａ)は図３中の矢視 IVａ図、(ｂ)は図３中の矢視 IVｂ図。
【図５】図１に示した電話機の機器筐体に壁掛けマウンタのフックが係合した状態を示す要部断面側面図。
【図６】    (ａ)は図５中の VIa−VIa 線断面図、(ｂ)は図５中の VIb−VIb 線断面図。
【図７】    (ａ)は図１に示した電話機における係止縁部を示す図、(ｂ)は従来の電話機における係止縁部を示す図。
【図８】従来の壁掛け構造を採用した電話機および壁掛けマウンタを示す要部破断側面図。
【図９】    (ａ)および(ｂ)は壁掛けマウンタを示す正面図および側面図。
【図１０】    (ａ)および(ｂ)は壁掛けマウンタを示す正面図および側面図。
【図１１】図８に示した電話機の機器筐体を底面側から観た外観斜視図。
【図１２】図８に示した電話機の機器筐体を概念的に示す底面図。
【図１３】図８に示した電話機における機器筐体の要部断面側面図。
【図１４】    (ａ)は図１３中の矢視 XIVａ図、(ｂ)は図１３中の矢視 XIVｂ図。
【図１５】図８に示した電話機の機器筐体に壁掛けマウンタのフックが係合した状態を示す要部断面側面図。
【図１６】    (ａ)は図１５中の XVIa−XVIa 線断面図、(ｂ)は図５中の XVIb−XVIb 線断面図。
【符号の説明】
１…電話機(電子機器)、
１Ａ…ケーシング(機器筐体)、
１Ｂ…底板、
１１Ｒ…側方リブ、
１Ｅ…係止縁部、
１０…共用ダルマ孔、
１１…第１ダルマ孔、
１１ａ…挿入孔、
１１ｂ…長孔、
１２…第２ダルマ孔、
１２ａ…挿入孔、
１２ｂ…長孔、
Ｍ(１)、Ｍ(２)…壁掛けマウンタ、
Ｍｂ…ベース、
Ｍｈ…フック、
Ｍｐ…ピン、
Ｍｆ…フランジ。
【図１】
0004649063.tif 000002
【図２】
0004649063.tif 000003
【図３】
0004649063.tif 000004
【図４】
0004649063.tif 000005
【図５】
0004649063.tif 000006
【図６】
0004649063.tif 000007
【図７】
0004649063.tif 000008
【図８】
0004649063.tif 000009
【図９】
0004649063.tif 000010
【図１０】
0004649063.tif 000011
【図１１】
0004649063.tif 000012
【図１２】
0004649063.tif 000013
【図１３】
0004649063.tif 000014
【図１４】
0004649063.tif 000015
【図１５】
0004649063.tif 000016
【図１６】
0004649063.tif 000017